(57)【要約】【課題】機器の再設定が効率的に行え、かつ、コスト的に有利となる放送受信機を提供する。【解決手段】外部より映像信号が入力される外部映像信号入力部を有する放送受信機において、前記外部映像信号入力部に入力された映像信号またはそれに基づく映像信号をデコードして設定データを含むデータに変換するデコード部と、前記デコード部により変換された設定データに基づき放送受信機の設定を書き換える設定書き換え部と、を備えた放送受信機とする。【選択図】図１
2010187167.tif 000002
【特許請求の範囲】
【請求項１】
外部より映像信号が入力される外部映像信号入力部を有する放送受信機において、
前記外部映像信号入力部に入力された映像信号またはそれに基づく映像信号をデコードして設定データを含むデータに変換するデコード部と、
前記デコード部により変換された設定データに基づき放送受信機の設定を書き換える設定書き換え部と、を備えたことを特徴とする放送受信機。
【請求項２】
前記デコード部は、前記外部映像信号入力部に入力された映像信号またはそれに基づく映像信号をデコードして設定データに加えてＩＤデータを含むデータに変換し、
前記デコード部により変換されたＩＤデータおよび放送受信機に設定されたＩＤデータに基づき設定対象機種か否かを判定する判定部を備え、
前記判定部により設定対象機種であると判定された場合、前記設定書き換え部は前記デコード部により変換された設定データに基づき放送受信機の設定を書き換え、前記判定部により設定対象機種でないと判定された場合、前記設定書き換え部は前記デコード部により変換された設定データに基づき放送受信機の設定を書き換えることを行わない、ことを特徴とする請求項１に記載の放送受信機。
【請求項３】
表示部を備え、
前記放送受信機に設定されたＩＤデータは、操作部の操作により設定可能であり、前記放送受信機に設定されたＩＤデータの設定に関する情報が前記表示部に表示されることを特徴とする請求項２に記載の放送受信機。
【請求項４】
操作部の操作により指定された放送受信機の設定データを含むデータを映像データにエンコードするエンコード部と、
前記エンコード部によりエンコードされた映像データに基づく映像信号を外部に出力する映像信号出力部と、を備えたことを特徴とする請求項１〜請求項３のいずれかに記載の放送受信機。
【発明の詳細な説明】
【技術分野】
【０００１】
本発明は、放送受信機に関する。
【背景技術】
【０００２】
近年、地上デジタル放送が開始され、また、放送受信機へ接続される周辺機器の高機能化により、周辺機器接続のプラットフォームとしての機能等、放送受信機が搭載すべき機能は飛躍的に増加している。これに伴い、それら機能を使いこなすためのユーザ用、業務用メニュー項目が増加傾向にあり、メニュー階層も複雑化している。
【０００３】
ここで、一般ユーザにおいては、「操作ミスで設定が初期化された」、「修理に出したら設定が変わっていた」等、放送受信機の設定がユーザの思惑以外で変更された場合、設定を変更前に戻すには、ユーザが予め設定を全て書き出して控えておき、手入力により再設定するか、ＵＳＢメモリ等の外部メモリに予め設定を記憶させておき、記憶させた設定を再読み込みさせるしかなかった。
【先行技術文献】
【特許文献】
【０００４】
【特許文献１】特開平９−４４９３２号公報
【発明の概要】
【発明が解決しようとする課題】
【０００５】
しかし、上記従来の放送受信機のように、ユーザが予め設定を全て書き出して控えておき、手入力により再設定することは非効率的であり、業務用で再設定が必要な台数が多い場合（ホテル設置等）、さらに非効率的である。
【０００６】
また、前述したような外部メモリへの設定の記憶による方法では、外部メモリ用のデータ入出力ポートの設置等、ハード的施策を講じなければならず、コストアップによるデメリットが生じる。
【０００７】
ここで、特許文献１には、番組関連情報をバーコードとして映像に組み込み放送波を流し、放送受信機にバーコードをデコードさせ、番組予約を簡単にするようなことが記載されている。この特許文献１の技術より、番組関連情報の代わりに放送受信機の設定情報をバーコードとして放送波を流すことは技術的には可能かもしれないが、一般放送に特定ユーザ毎の設定情報を組み込みことは放送運用上まず有り得ない。ダウンロードの専用枠を使うことも考えられるが、放送コストやダウンロードスケジュールを考慮すると、特定のユーザ向けの設定情報のダウンロードも現実的ではない。さらに、放送受信機の現状の設定値を書き出す手段もない。
【０００８】
上記問題点を鑑み、本発明は、機器の再設定が効率的に行え、かつ、コスト的に有利となる放送受信機を提供することを目的とする。
【課題を解決するための手段】
【０００９】
上記目的を達成するために本発明の放送受信機は、外部より映像信号が入力される外部映像信号入力部を有する放送受信機において、
前記外部映像信号入力部に入力された映像信号またはそれに基づく映像信号をデコードして設定データを含むデータに変換するデコード部と、
前記デコード部により変換された設定データに基づき放送受信機の設定を書き換える設定書き換え部と、を備えた構成とした。
【００１０】
このような構成によれば、外部映像信号入力部に映像信号を入力させるだけで自動的に放送受信機の設定を書き換えることができるので、機器の再設定が効率的に行える。また、映像信号の入力には通常の映像信号入力用の外部映像信号入力部を利用するので、専用のハード部品の追加は不要であり、コスト的に有利となる。
【００１１】
また、本発明の放送受信機は、上記構成において、前記デコード部は、前記外部映像信号入力部に入力された映像信号またはそれに基づく映像信号をデコードして設定データに加えてＩＤデータを含むデータに変換し、
前記デコード部により変換されたＩＤデータおよび放送受信機に設定されたＩＤデータに基づき設定対象機種か否かを判定する判定部を備え、
前記判定部により設定対象機種であると判定された場合、前記設定書き換え部は前記デコード部により変換された設定データに基づき放送受信機の設定を書き換え、前記判定部により設定対象機種でないと判定された場合、前記設定書き換え部は前記デコード部により変換された設定データに基づき放送受信機の設定を書き換えることを行わない、構成としてもよい。
【００１２】
このような構成によれば、設定対象機種でない放送受信機の設定を書き換えてしまうことを制限することが可能となる。また、例えば、ＩＤデータが異なる、設定データおよびＩＤデータを含む複数のデータがエンコードされた映像データの映像信号を外部映像信号入力部に入力した場合、自動的に当該放送受信機用でない設定データは除外され、当該放送受信機用の設定データのみにより設定を書き換えることができる。
【００１３】
ここで、上記構成においてさらに、表示部を備え、
前記放送受信機に設定されたＩＤデータは、操作部の操作により設定可能であり、前記放送受信機に設定されたＩＤデータの設定に関する情報が前記表示部に表示される構成としてもよい。
【００１４】
このような構成によれば、例えば、放送受信機の設置場所に応じて所望のＩＤをサービスマンが画面を見ながら容易に設定でき、放送受信機の保守管理をすることができる。
【００１５】
また、本発明の放送受信機は、上記各構成において、操作部の操作により指定された放送受信機の設定データを含むデータを映像データにエンコードするエンコード部と、
前記エンコード部によりエンコードされた映像データに基づく映像信号を外部に出力する映像信号出力部と、を備えた構成としてもよい。
【００１６】
このような構成によれば、例えば、映像信号出力部に録画機器を接続すれば、指定した放送受信機の設定を容易に外部に書き出すことが可能となる。また、通常の映像信号を出力するための映像信号出力部を設定データの書き出しにも共用できるので、専用のハード部品の追加が不要であり、コスト的に有利となる。また、例えば、映像信号出力部に他の本発明に係る放送受信機を接続すれば、該他の本発明に係る放送受信機において映像データをデコードし、設定をコピーすることも可能である。
【発明の効果】
【００１７】
本発明の放送受信機によれば、機器の再設定が効率的に行え、かつ、コスト的に有利となる。
【図面の簡単な説明】
【００１８】
【図１】本発明に係るデジタル放送受信機のブロック構成図である。
【図２】フレームメモリに格納される映像データの一例を示す図である。
【図３】本発明に係るバーコードデータの構成の一例を示す。
【図４】バーコードデータをアナログＴＶレベルの分解能（６４０×４８０）の映像データで表現した一例を示す図である。
【図５】本発明に係るデジタル放送受信機における映像データのデコード処理に関するフローチャートである。
【図６】図５における設定処理（ステップＳ２０）の具体的な処理を示すフローチャートである。
【図７】ディスプレイに表示されたＩＤ２ｂｉｔ設定画面の一例を示す図である。
【図８】ディスプレイに表示されたエンコード用メニュー画面の一例を示す図である。
【発明を実施するための形態】
【００１９】
以下に本発明の実施形態を図面を参照して説明する。図１は、本発明に係るデジタル放送受信機の一構成例を示すブロック構成図である。
【００２０】
図１に示す本発明に係るデジタル放送受信機は、チューナ２と、デマルチプレクサ（以下、ＤＥＭＵＸ）３と、デコーダ４と、ＣＰＵ（Central Processing Unit）５と、スケーラ６と、フレームメモリ７と、映像処理部８と、音声処理部９と、ディスプレイ１０と、スピーカ１１と、外部アナログ入力部１２と、外部デジタル入力部１３と、Ａ／Ｄ部１４と、ＯＳＤ（On Screen Display）部１５と、映像解析部１６と、リモコン受光部１７と、ＮＶＲＡＭ（Non Volatile RAM）１８と、Ｄ／Ａ部２０と、録画出力部２１と、を備えている。
【００２１】
アンテナ１は、放送局、衛星等から送信されるデジタル放送波を受信する。チューナ２は、アンテナ１から入力される映像音声データを含む高周波デジタル変調信号のうちから特定周波数の信号を取り出す。また、チューナ２は、復調回路、逆インタリーブ回路、誤り訂正回路等からなる復調部を備えることにより、選択されたデジタル変調信号を復調してトランスポートストリーム（以下、ＴＳ）をＤＥＭＵＸ３に出力する。
【００２２】
ＤＥＭＵＸ３は、ＴＳを、ＭＰＥＧ２（Moving Picture Experts Group2）のビデオストリーム、オーディオストリーム、およびＰＳＩ／ＳＩ（Program Specific Information/Service Information）等に分離する。そして、ＤＥＭＵＸ３は、ビデオストリームとオーディオストリームをデコーダ４に供給し、ＰＳＩ／ＳＩに含まれる番組情報等をＣＰＵ５で解析し、ＥＰＧ（電子番組表）や録画予約等のユーザサービスが提供される。
【００２３】
デコーダ４は、ビデオデコーダとオーディオデコーダからなり、ＤＥＭＵＸ３からのビデオストリームおよびオーディオストリームを伸長復号化する。デコーダ４が出力する映像データはスケーラ６を経て、映像データを格納するメモリ領域であるフレームメモリ７に書き込まれる。そして、映像処理部８は、フレームメモリ７からの映像データをディスプレイ１０での表示に適した映像信号に変換しディスプレイ１０に出力し、ディスプレイ１０に映像が表示される。また、デコーダ４が出力する音声データは、音声処理部９でＤ／Ａ変換されスピーカ１１に出力され、スピーカ１１から音声が発生する。
【００２４】
ＯＳＤ部１５は、ＣＰＵ５の制御により文字や図形の映像信号を生成しディスプレイ１０に出力する。
【００２５】
外部アナログ入力部１２に外部より入力されたアナログ映像信号は、Ａ／Ｄ部１４でＡ／Ｄ変換され、スケーラ６に入力される。アナログ映像信号の信号種別としてはコンポジット信号、コンポーネント信号等がある。また、外部デジタル入力部１３に外部より入力されたデジタル映像信号は直接スケーラ６に入力される。デジタル映像信号の信号種別としてはＨＤＭＩ（High-Definition Multimedia Interface）規格の映像信号等がある。アナログ映像信号、デジタル映像信号とも、スケーラ６に入力後のディスプレイ１０に表示されるまでの処理は共通である。
【００２６】
また、デコーダ４からスケーラ６を経てフレームメモリ７に格納されたデジタル放送の映像データは、Ｄ／Ａ部２０でＤ／Ａ変換され録画出力部２１から外部録画機器へ出力される。
【００２７】
ＣＰＵ５は、不図示のＲＯＭに格納されたプログラムを実行することで各部を制御する演算処理装置である。
【００２８】
リモコン送信機１９は、本発明に係るデジタル放送受信機に指令を送出するための送信機である。このリモコン送信機１９に設けられたキーが操作されると、そのキーに対応した赤外線信号がリモコン送信機１９の発光部から送出される。リモコン受光部１７は、赤外線信号を受光し、これをリモコンコード信号に変換してＣＰＵ５に与える。
【００２９】
ＮＶＲＡＭ１８は、不揮発性ＲＡＭであり、映像・音声に関する設定データや後述するＩＤ等各種設定情報が記憶される。
【００３０】
本発明に係るデジタル放送受信機は、映像解析部１６を備えることを特徴としている。この映像解析部１６は、フレームメモリ７に格納された映像データを解析し、映像データから設定データを含むバーコードデータをデコードする。まず、フレームメモリ７に格納される映像データについて説明する。
【００３１】
図２に、フレームメモリ７に格納される映像データの一例を示す。ここで示す映像データは、国際電気通信連合（ＩＴＵ）が標準化した標準テレビ放送向けの規格のものであり、輝度（Ｙ）および色差（Ｃｂ、Ｃｒ）から構成される。量子化数は８ビットであり、色差は輝度の半分の頻度でサンプルされる。
【００３２】
図３に、本発明に係るバーコードデータの構成の一例を示す。ここで示すバーコードデータは、ヘッダｂｉｔ（２ビット）、ＩＤ１ｂｉｔ（８ビット）、ＩＤ２ｂｉｔ（８ビット）、データカテゴリｂｉｔ（６ビット）、データｂｉｔ（１６ビット）、ＣＲＣｂｉｔ（１６ビット）から構成される５６ビットのデータである。
【００３３】
ヘッダｂｉｔ（２ビット）は、バーコードデータの開始を示す。
【００３４】
ＩＤ１ｂｉｔ（８ビット）は、設定対象の機種モデルを指定するＩＤである。例えば、００００：○○２００シリーズ、０００１：△△１００シリーズのようである。
【００３５】
ＩＤ２ｂｉｔ（８ビット）は、ＩＤ１ｂｉｔで指定される機種モデルをさらに特定するＩＤである。ＩＤ２ｂｉｔの内訳は次のようである。
ｂｉｔ７：ＩＤ１ｂｉｔに依存しているを１、全機種共通を０とする。
ｂｉｔ６：業務用を１、一般ユーザ用を０とする。
ｂｉｔ５〜０：シリアルＩＤとして０〜３１が設定可能である。例えば、シリアルＩＤが１であれば××ホテル向け、のように使用できる。
【００３６】
データカテゴリｂｉｔ（６ビット）は、設定データの位置を示す。例えば、データカテゴリｂｉｔが００であれば「映像メニュー１（トップメニューの映像メニューの１番目のメニュー）」を示すといったように設定データの種別が定義できる。
【００３７】
データｂｉｔ（１６ビット）は、設定データを示す。
【００３８】
ＣＲＣｂｉｔ（１６ビット）は、ＣＲＣ（Cyclic Redundancy Check）によるエラーチェックによりエラーを検出するためのエラー検出ｂｉｔである。
【００３９】
以上のように構成することで、「○○２００シリーズの××ホテル向けに納入した放送受信機の映像メニュー１のパラメータを更新する」等の細かい要望にも対応できる。
【００４０】
図４に、バーコードデータをアナログＴＶレベルの分解能（６４０×４８０）の映像データで表現した一例を示す。ここでは、バーコードデータの各ビットを水平方向に３ピクセル毎、垂直方向に１０ピクセル毎の輝度で表現している。例えば、ビットが１であれば、３ピクセル×１０ピクセル分の輝度を２５５（量子化数８ビットの最大値）とし、ビットが０であれば、３ピクセル×１０ピクセル分の輝度を０（量子化数８ビットの最小値）とする。単数に限らず複数のバーコードデータ（データカテゴリｂｉｔが異なるデータ、ＩＤ２ｂｉｔが異なるデータ等）を１画面の映像データで表すことが可能である。１画面の映像データのうちバーコードデータ以外の部分については輝度を例えば２５５（または０）とすればよい。６４０×４８０の分解能の映像データであれば、６４０ピクセル／３ピクセル×（４８０ピクセル／１０ピクセル）／８ビット＝約１．２ｋバイトまで表現が可能となる。なお、各ビットを水平方向１ピクセルではなく３ピクセル分の輝度で表現しているのは、映像が劣化してもデコードを可能とするためであり、３ピクセルに限らず５ピクセル等でもよい。
【００４１】
このようなバーコードデータをエンコードした映像データの本発明に係るデジタル放送受信機におけるデコード処理について以下、図５のフローチャートを用いて説明する。
【００４２】
ここで、外部アナログ入力部１２にアナログ映像信号が入力されるか、外部デジタル入力部１３にデジタル映像信号が入力されることにより、スケーラ６を経てフレームメモリ７に映像データが格納されているとする。
【００４３】
まず、ステップＳ１で、映像解析部１６は、フレームメモリ７に格納された映像データの輝度の読み出しを開始する初期読出座標を設定し、ステップＳ２で、輝度を読み出す。
【００４４】
そして、ステップＳ３で、映像解析部１６は、読み出した輝度ｍが所定の輝度ｎ（例えば、映像データの輝度が０か２５５とすれば、ｎ＝１２０等）より小さいか否かを判定し、もし小さければ（ステップＳ３のＹ）、ステップＳ４に進み、映像解析部１６は、「０」カウンタを１だけ増加させる。一方、読み出した輝度ｍが所定の輝度ｎ以上であれば（ステップＳ３のＮ）、ステップＳ５に進み、映像解析部１６は、「１」カウンタを１だけ増加させる。
【００４５】
そして、ステップＳ６で、映像解析部１６は、３ピクセル連続して輝度を読み出したか否か判定し、いまだ読み出していない場合は（ステップＳ６のＮ）、ステップＳ７に進み、映像解析部１６は、輝度を読み出す読出座標を水平方向に１ピクセルだけずらして設定し、ステップＳ２に戻り、輝度を読み出す。
【００４６】
そして、３ピクセル連続して輝度を読み出せば（ステップＳ６のＹ）、ステップＳ８に進み、映像解析部１６は、「０」カウンタが「１」カウンタよりも大きいか否かを判定し、もし大きければ（ステップＳ８のＹ）、ステップＳ９に進み、映像解析部１６は、デコードデータを０に確定する。一方、「０」カウンタが「１」カウンタ以下であれば（ステップＳ８のＮ）、ステップＳ１０に進み、映像解析部１６は、デコードデータを１に確定する。
【００４７】
そして、ステップＳ１１で、映像解析部１６は、現在の読出座標の水平座標が最終水平座標であるか否かを判定し、もし最終水平座標でなければ（ステップＳ１１のＮ）、ステップＳ１２に進み、映像解析部１６は、輝度を読み出す読出座標を水平方向に１ピクセルだけずらして設定し、ステップＳ２に戻り、輝度を読み出す。
【００４８】
そして、現在の読出座標の水平座標が最終水平座標に到達すれば（ステップＳ１１のＹ）、ステップＳ１３に進み、映像解析部１６は、現在の読出座標の垂直座標が最終垂直座標であるか否かを判定する。もし、最終垂直座標でなければ（ステップＳ１３のＮ）、ステップＳ１４に進み、映像解析部１６は、水平座標を初期化し、垂直座標を１０ピクセルだけずらし読出座標を設定し、ステップＳ２に戻り、輝度を読み出す。
【００４９】
そして、現在の読出座標の垂直座標が最終垂直座標に到達すれば（ステップＳ１３のＹ）、ステップＳ１５に進む。ステップＳ１５で、映像解析部１６は、デコードされたデータにおいて先頭からバーコードデータのビット数である５６ビットずつ順にＣＲＣによるエラーチェックを行い、もしあるバーコードデータについてエラーが検出された場合（ステップＳ１５のＮ）、ステップＳ１６に進み、映像解析部１６は、再読出回数を１だけ増加させる。なお、ＣＲＣによるエラーチェックでは、デコードされた５６ビットのうち前述したＣＲＣｂｉｔを除く全てのビットを用いてＣＲＣを算出し、算出されたＣＲＣとデコードされたＣＲＣとを比較し、一致すればエラー無し、一致しなければエラー有りと判定する。
【００５０】
ステップＳ１６の後、ステップＳ１７で、映像解析部１６は、再読出回数が規定回数よりも大きいか否かを判定し、もし大きくなければ（ステップＳ１７のＮ）、ステップＳ１８に進み、映像解析部１６は、読出座標を初期化し、ステップＳ２に戻り、デコードがやり直される。
【００５１】
そして、再読出回数が規定回数よりも大きくなれば（ステップＳ１７のＹ）、ステップＳ１９に進み、映像解析部１６は、エラー発生をＣＰＵ５に通知し、ＣＰＵ５の制御によりＯＳＤ部１５がディスプレイ１０にエラー表示をさせ、処理が終了する（エンド）。
【００５２】
また、ステップＳ１５で、映像解析部１６が、デコードされたデータにおいて先頭からバーコードデータのビット数である５６ビットずつ順にＣＲＣによるエラーチェックを行い、もし全てのバーコードデータについてエラーが検出されなかった場合（ステップＳ１５のＹ）、ステップＳ２０に進む。
【００５３】
図６に、ステップＳ２０の具体的な処理を示す。なお、図６の処理は、各バーコードデータについて行われる。
【００５４】
まず、ステップＳ２００で、ＣＰＵ５は、デコードされたＩＤ２ｂｉｔのｂｉｔ７が１であるか否かを判定し、もし１（ＩＤ１ｂｉｔに依存）であれば（ステップＳ２００のＹ）、ステップＳ２１０に進む。
【００５５】
ステップＳ２１０で、ＣＰＵ５は、デコードされたＩＤ１ｂｉｔとＮＶＲＡＭ１８に記憶されたＩＤ１ｂｉｔとが一致するか否かを判定し、もし一致すれば（ステップＳ２１０のＹ）、ステップＳ２２０に進む。
【００５６】
ステップＳ２２０で、ＣＰＵ５は、デコードされたＩＤ２ｂｉｔのｂｉｔ６と、ＮＶＲＡＭ１８に記憶されたＩＤ２ｂｉｔのｂｉｔ６とが一致するか否かを判定し、もし一致すれば（ステップＳ２２０のＹ）、ステップＳ２３０に進む。
【００５７】
ステップＳ２３０で、ＣＰＵ５は、デコードされたＩＤ２ｂｉｔのｂｉｔ５〜０と、ＮＶＲＡＭ１８に記憶されたＩＤ２ｂｉｔのｂｉｔ５〜０とが一致するか否かを判定し、もし一致すれば（ステップＳ２３０のＹ）、設定対象機種であるとして、ステップＳ２４０に進む。ステップＳ２４０で、ＣＰＵ５は、デコードされたデータカテゴリｂｉｔが示すＮＶＲＡＭ１８におけるデータ領域の設定データを、デコードされたデータｂｉｔに書き換え、処理終了となる（エンド）。
【００５８】
また、ステップＳ２１０、ステップＳ２２０、ステップＳ２３０のいずれかで一致しなければ（ステップＳ２１０のＮ、ステップＳ２２０のＮ、ステップＳ２３０のＮ）、設定対象機種ではないとして、設定データの書き換えは行わない（エンド）。
【００５９】
なお、ステップＳ２００で、デコードされたＩＤ２ｂｉｔのｂｉｔ７が０（全機種共通）と判定された場合は（ステップＳ２００のＮ）、ステップＳ２１０ではなく、ステップＳ２２０に進む。
【００６０】
ここで、ＩＤ２ｂｉｔはメニュー操作によりデジタル放送受信機に設定可能となっている。図７に、ディスプレイ１０に表示されたＩＤ２ｂｉｔ設定画面の一例を示す。本画面では、リモコン送信機１９の左右キー操作によりＩＤ２ｂｉｔの各ｂｉｔを選択でき、リモコン送信機１９の上下キー操作により選択されたｂｉｔの値を０か１に設定できる。そして、リモコン送信機１９の決定キー操作により、画面に表示された内容でＩＤ２ｂｉｔがＮＶＲＡＭ１８に記憶される。このような設定は、例えば、ホテル等に複数台のデジタル放送受信機を設置する場合、サービスマンが行えばよい。
【００６１】
図６の処理がデコードされた全てのバーコードデータについて行われると、ステップＳ２０は終了し、図５の処理は終了となる（エンド）。
【００６２】
このような本発明に係るデジタル放送受信機によれば、例えば、外部アナログ入力部１２または外部デジタル入力部１３に一般的な再生機を接続し再生機を再生させるだけでフレームメモリ７に映像データが格納され、映像解析部１６により映像データのデコードが行われ、各種データの設定が自動的に行われるので、再設定の作業が効率的となる。また、映像信号の入力は外部アナログ入力部１２や外部デジタル入力部１３を用いればよいので、専用にハード部品の追加が必要なく、コスト的に有利となる。また、ＩＤ１ｂｉｔ、ＩＤ２ｂｉｔを利用することで、適用対象外のデジタル放送受信機に設定することを制限することが可能となる。
【００６３】
本発明に係るデジタル放送受信機は、設定データの映像データへのエンコード機能も有しており、以下、これについて説明する。
【００６４】
設定データの映像データへのエンコードはメニュー操作により行え、図８に、ディスプレイ１０に表示されたエンコード用メニュー画面の一例を示す。
【００６５】
初期の画面では、一般ユーザ用、業務用、サービスマン用の各項目８０とそれに対応するチェックボックスが表示される。そして、リモコン送信機１９の操作によりチェックボックスがチェックされると、チェックされた項目に対応する設定種別の大分類８１とチェックボックスが表示される。例えば、一般ユーザ用には映像と音声の大分類が表示され、業務用には映像、音声、制限といった大分類が表示される。リモコン送信機１９の操作により大分類８１のチェックボックスがチェックされると、チェックされた大分類８１に対応する設定種別の小分類８２とチェックボックスが表示される。例えば、一般ユーザ用の大分類「映像」に対しては「明るさ」、「コントラスト」、「色合い」といった小分類が表示され、業務用の大分類「制限」に対しては「選局」、「メニュー表示」、「明るさ」といった小分類が表示される。
【００６６】
そして、リモコン送信機１９の操作により小分類８２のチェックボックスにチェックがされた状態で画面の実行ボタン８３がリモコン送信機１９の操作により押されると、ＣＰＵ５は、チェックされた小分類の設定データをＮＶＲＡＭ１８から読み出しバーコードデータを作成し（ＩＤ１ｂｉｔ、ＩＤ２ｂｉｔにはＮＶＲＡＭ１８に記憶されたものを使用する）、作成されたバーコードデータを輝度データすなわち映像データにエンコードし、作成された映像データをフレームメモリ７に書き込む。フレームメモリ７に書き込まれた映像データは、Ｄ／Ａ部２０を経て録画出力部２１から外部へ出力される。
【００６７】
録画出力部２１に録画機器を接続すれば、録画機器に映像データを記録でき、専用のハード部品を追加する必要なく、デジタル放送受信機の設定を外部に書き出すことができる。また、録画出力部２１を他のデジタル放送受信機の外部アナログ入力部１２に接続すれば、他のデジタル放送受信機において映像データのデコードを行い、設定をコピーすることも可能である。
【００６８】
以上、本発明の実施形態について説明したが、これはあくまで例示であり、本発明の趣旨を逸脱しない範囲での様々な変更が可能である。
【符号の説明】
【００６９】
１  アンテナ
２  チューナ
３  デマルチプレクサ
４  デコーダ
５  ＣＰＵ
６  スケーラ
７  フレームメモリ
８  映像処理部
９  音声処理部
１０  ディスプレイ
１１  スピーカ
１２  外部アナログ入力部
１３  外部デジタル入力部
１４  Ａ／Ｄ部
１５  ＯＳＤ部
１６  映像解析部
１７  リモコン受光部
１８    ＮＶＲＡＭ
１９    リモコン送信機
２０    Ｄ／Ａ部
２１    録画出力部
【図１】
2010187167.tif 000003
【図２】
2010187167.tif 000004
【図３】
2010187167.tif 000005
【図４】
2010187167.tif 000006
【図５】
2010187167.tif 000007
【図６】
2010187167.tif 000008
【図７】
2010187167.tif 000009
【図８】
2010187167.tif 000010